(57)【特許請求の範囲】
【請求項１】
デジタルカメラ機能を有している携帯用端末機であって、
前記携帯用端末機は、
ディスプレイを有しているディスプレイ本体と、
被写体をフォーカシングし、前記ディスプレイにディスプレイされる前記被写体の像を撮影するカメラモジュールを有しているカメラアセンブリと、
前記ディスプレイ本体を前記カメラアセンブリに回転可能に結合する旋回ユニットと、
情報処理機能および無線通信機能を有し、前記ディスプレイ本体に動き可能に装着される端末機本体と、
音声情報を送受信するスピーカーユニットおよびマイクユニットと、
前記カメラアセンブリと前記ディスプレイ本体との間に形成される感知手段であって、前記カメラアセンブリの回転を感知する感知手段と
を備えており、
前記カメラアセンブリは、前記ディスプレイ本体の幅方向に垂直な回転軸のまわりを回転するように構成されており、
前記携帯用端末機に関連した少なくとも１つの機能は、前記回転の感知時または前記回転の感知後に実行され、
前記端末機本体は、前記ディスプレイ本体の長手方向にスライディング可能であるように構成されており、
前記ディスプレイ本体は、
一側に前記端末機本体がスライディング可能に装着される装着部を有し、内部に回路部品を有している本体ケーシングと、
前記本体ケーシングに結合されたディスプレイと、
前記本体ケーシングの一側に形成されていて前記カメラモジュールを制御する制御ボタンと
を備えており、
前記本体ケーシングは、所定幅および長さを有する六面体状に形成されており、
前記六面体状の一面に所定高さの段差面を有する前記装着部が形成されており、
前記装着部の段差面の高さは、前記端末機本体の厚さと同一である、携帯用端末機。
【請求項２】
前記端末機本体を前記ディスプレイ本体の長手方向に動かせるスライディングユニットが前記端末機本体および前記ディスプレイ本体に配置されている、請求項１に記載の携帯用端末機。
【請求項３】
前記ディスプレイは、
各種情報を画像で表示し、撮影時に被写体の像を表示する液晶画面を備えている、請求項１に記載の携帯用端末機。
【請求項４】
前記カメラアセンブリは、
所定形状に形成されるカメラケーシングと、
前記カメラケーシングに装着されるカメラモジュールと、
前記カメラケーシングに装着される撮影ボタンと、
照明用のフラッシュと
を備えている、請求項１に記載の携帯用端末機。
【請求項５】
前記カメラケーシングは、六面体状に形成されており、
前記カメラケーシングの六面体の幅および高さは、前記ディスプレイ本体の六面体の幅および高さと同一である、請求項４に記載の携帯用端末機。
【請求項６】
前記カメラアセンブリは、撮影条件によって撮影モードを変更するモード選択スイッチを備えている、請求項４に記載の携帯用端末機。
【請求項７】
前記カメラアセンブリは、高照度のために前記ディスプレイを通じてユーザーが被写体を見ることができない場合、ユーザーが前記被写体を直接見ることを可能にする直接透視手段を備えている、請求項４に記載の携帯用端末機。
【請求項８】
前記直接透視手段は、前記カメラケーシングを貫通する通路と、前記通路に装着される透明レンズとを備えている、請求項７に記載の携帯用端末機。
【請求項９】
前記カメラアセンブリは、撮影時に撮影に関連した音声を入力する補助マイクユニットを備えている、請求項４に記載の携帯用端末機。
【請求項１０】
前記カメラケーシングの内部に所定形状を有する結合溝が形成されており、
前記結合溝に前記カメラモジュールが挿入される、請求項４に記載の携帯用端末機。
【請求項１１】
前記旋回ユニットは、
前記ディスプレイ本体に円筒状に形成された円筒軸と、
前記円筒軸の側方に形成された固定突起と、
前記円筒軸に回転可能に挿入されるカムホルダーであって、前記カメラアセンブリに固定結合されるカムホルダーと、
前記円筒軸の外径より大きい内径および所定長さを有している円筒部の一側端に形成されるカム部と、
前記円筒部の他側端に形成されるスプリング挿入部と、
前記カムホルダーのスプリング挿入部に挿入されるスプリングと、
前記カムホルダーの円筒部に挿入される円筒軸に固定結合される固定部材であって、前記スプリングを支持固定する固定部材と
を備えている、請求項１に記載の携帯用端末機。
【請求項１２】
前記カムホルダーのカム部は、前記円筒部の端に複数の凹部と凸部とを有する波形形状に形成されている、請求項１１に記載の携帯用端末機。
【請求項１３】
前記感知手段は、
前記カメラアセンブリに装着される磁石と、
前記磁石の位置と対面する前記ディスプレイ本体の一面に装着され、前記磁石の磁場を感知するセンサーと、
前記センサーによって感知された信号を伝達する信号線と
を備えている、請求項１に記載の携帯用端末機。
【請求項１４】
複数の磁石が、前記カメラアセンブリおよび前記ディスプレイ本体の相対運動に対する回転軸を同心軸にして、円形に所定間隔を置いて配置されている、請求項１３に記載の携帯用端末機。
【請求項１５】
前記スピーカーユニットは、前記カメラアセンブリに設置されている、請求項１に記載の携帯用端末機。
【請求項１６】
前記スピーカーユニットは、前記カメラモジュールの反対側に位置する、請求項１５に記載の携帯用端末機。
【請求項１７】
前記マイクユニットは、前記ディスプレイ本体に装着されている、請求項１に記載の携帯用端末機。
【請求項１８】
前記端末機本体は、所定の厚さを有する六面体状に形成されている、請求項１に記載の携帯用端末機。
【請求項１９】
情報を入力するキーパッドが前記端末機本体の一面に配置されている、請求項１に記載の携帯用端末機。
【請求項２０】
前記スライディングユニットは、
前記端末機本体が装着される前記ディスプレイ本体の装着面に所定幅および長さを有して形成される案内溝と、
前記装着面に前記案内溝と平行に形成されるラックと、
前記ディスプレイ本体の装着面に対面する前記端末機本体の一面に突出形成される案内突起であって、前記案内溝にスライディング可能に挿入される案内突起と、
前記端末機本体に装着されて前記ラックと噛み合うピニオンと、
前記ピニオンを回転させる駆動モータと
を備えている、請求項２に記載の携帯用端末機。
【請求項２１】
２つの案内溝が所定間隔を置いて形成されており、
２つの案内突起が前記２つの案内溝に挿入されるように形成されている、請求項２０に記載の携帯用端末機。
【請求項２２】
前記ディスプレイ本体の装着部を形成する装着面に所定の面積を有する貫通穴が形成されており、
前記ディスプレイ本体の装着面に対面する前記端末機本体の一面に前記貫通穴に対応する貫通穴が形成されている、請求項２０に記載の携帯用端末機。
【請求項２３】
前記端末機本体は、前記ディスプレイ本体の一側にヒンジ手段によってヒンジ結合されている、請求項１に記載の携帯用端末機。
【発明の詳細な説明】
【技術分野】
【０００１】
本発明は、携帯用端末機に関し、特に、電話通話ができるだけでなく、被写体の静止画像または動画像を簡単で便利に撮影することができ、使用者にとってデジタルカメラを使用すると感じ得るデジタルカメラ機能付き携帯用端末機に関する。
【背景技術】
【０００２】
一般的な携帯用端末機は、携帯が簡便で、携帯中どこでも相手と音声送受信ができる通信機器である。この携帯用端末機は、情報通信機術の急速な発展につれて、インターネット接続機能及びテレビ受信機能だけでなく、カメラを備えて被写体の静止画像または動画像を撮影し、その撮影された静止画像または動画像を相手と送受信する機能を有する。このような情報通信機術の持続的な発展は、携帯用端末機の使用領域をより拡大させている。
【０００３】
図９は、従来技術によるカメラを備えた携帯用端末機の一例を示す斜視図である。
【０００４】
図９を参照すると、前記カメラを備えた携帯用端末機は、情報を入力し、通信を制御する本体１０と、情報を画像として出力するディスプレイ（図示せず）が備えられるフォルダ２０と、フォルダ２０を本体１０に回動可能に結合するヒンジ結合手段３０と、ヒンジ結合手段３０側に回転可能に結合されたカメラユニット４０と、本体１０の後面に着脱可能に結合されるバッテリー５０と、から構成される。
【０００５】
符号６０はアンテナで、７０はスピーカーで、２２は補助ディスプレイで、４１はカメラモジュールのレンズである。
【０００６】
以下、このようにカメラを備えた携帯用端末機の作動を説明する。
【０００７】
まず、相手に電話をかけるか、相手からの電話を受ける場合、図１０に示すように、使用者はフォルダ２０を本体１０から開ける。フォルダ２０は、ヒンジ結合手段３０を軸にして角回転されて開き、フォルダ２０が開いた状態で、該フォルダ２０は、本体１０を基準にして所定角をなすようになる。このように、フォルダ２０が本体１０から開いた状態で、使用者が電話を受けるか、電話をかけるようになる。
【０００８】
また、使用者がカメラを利用して被写体の静止画像または動画像を撮影する場合、図１０に示すように、フォルダ２０を本体１０から開けた状態で使用する。前記被写体が使用者である場合、即ち、使用者がカメラを利用して自分を撮影する場合、カメラユニット４０を回転させてフォルダのディスプレイ２１とカメラユニットのレンズ４１を同一方向に位置させる。それから、カメラユニット４０を調節しながら、レンズ４１によってフォーカシングされてディスプレイ２１に現れる使用者の像を調節した後、使用者自身を撮影する。
【０００９】
一方、使用者が自分以外の被写体を撮影する場合、使用者がカメラユニット４０を回転させて該カメラユニット４０のレンズ４１をフォルダ２０のディスプレイ２１と反対方向に位置させる。それから、カメラユニット４０を調節しながら、レンズ４１によってフォーカシングされてディスプレイ２１に現れる被写体の像を見ながら撮影する。
【００１０】
さらに、撮影が終了すると、フォルダ２０を閉じて該フォルダ２０を原位置に戻す。
【００１１】
しかしながら、前述したようなカメラを備えた携帯用端末機は、カメラユニット４０を利用して被写体の静止画像または動画像を撮影する時、フォルダ２０を開いて被写体を撮影するべきであり、さらに、カメラユニット４０を回転させながらディスプレイ２１に現れる被写体の像を調節して撮影するべきであるため、撮影作業が複雑で煩わしいという短所があった。
【００１２】
また、被写体を撮影する時、フォルダ２０と本体１０が所定角をなすので、被写体の像が表示されるディスプレイが所定角に傾くようになるため、被写体の像を所望の構図に調節することが不便でる。また、被写体を撮影する過程で、本体１０またはフォルダ２０に衝撃が加えられる場合、フォルダ２０が本体１０から所定角開いているので、構造的に弱く、破損を恐れがあるという問題点があった。
【発明の開示】
【発明が解決しようとする課題】
【００１３】
本発明は、前述したような問題点を解決するために提案されたもので、本発明の目的は、電話通話ができるだけでなく、被写体の静止画像または動画像を簡単で便利に撮影可能にしたデジタルカメラ機能付き携帯用端末機を提供することにある。
【００１４】
本発明の他の目的は、被写体の撮影時、使用者にデジタルカメラを使用する感じを与えるだけでなく、撮影状態における構造的強度を高めて外部衝撃に対する破損を防止し得るようにしたデジタルカメラ機能付き携帯用端末機を提供することにある。
【課題を解決するための手段】
【００１５】
上記目的を達成するために、本発明は、例えば、以下の手段を提供する。
（項目１）
ディスプレイが備えられたディスプレイ本体と、
被写体をフォーカシングし、前記ディスプレイに現れる該被写体の像を撮影するカメラモジュールが備えられるカメラアセンブリと、
前記ディスプレイ本体とカメラアセンブリを相互回転可能に結合する旋回ユニットと、
情報処理機能を有し、前記ディスプレイ本体に動き可能に装着される端末機本体と、
音声情報を送受信するスピーカーユニット及びマイクユニットと、
から構成されるを特徴とするデジタルカメラ機能付き携帯用端末機。
（項目２）
前記端末機本体及びディスプレイ本体に前記端末機本体がディスプレイ本体の長手方向に動くようにするスライディングユニットが備えられることを特徴とする項目１に記載のデジタルカメラ機能付き携帯用端末機。
（項目３）
前記ディスプレイ本体は、一側に前記端末機本体がスライディング可能に装着される装着部を有し、内部に回路部品が備えられた本体ケーシングと、該本体ケーシングに結合されたディスプレイと、前記本体ケーシングの一側に備えられて前記カメラモジュールを制御する制御ボタンと、から構成されるを特徴とする項目１に記載のデジタルカメラ機能付き携帯用端末機。
（項目４）
前記本体ケーシングは、所定幅及び長さを有する六面体状に形成され、該六面体状の一面に所定高さの段差面を有する装着部が形成されたことを特徴とする項目３に記載のデジタルカメラ機能付き携帯用端末機。
（項目５）
前記装着部の段差面の高さは、前記端末機本体の厚さと同一であることを特徴とする項目４に記載のデジタルカメラ機能付き携帯用端末機。
（項目６）
前記ディスプレイは、各種情報を画像で表示するだけでなく、撮影時に被写体の像を表示する液晶画面を備えることを特徴とする項目１に記載のデジタルカメラ機能付き携帯用端末機。
（項目７）
前記カメラアセンブリは、所定形状に形成されるカメラケーシングと、該カメラケーシングに装着されるカメラモジュールと、前記カメラケーシングに装着される撮影ボタンと、撮影時に照明を明るくするフラッシュと、から構成されるを特徴とする項目１に記載のデジタルカメラ機能付き携帯用端末機。
（項目８）
前記カメラケーシングは、六面体状に形成され、該六面体の幅及び高さは、前記ディスプレイ本体の幅及び高さと同一であることを特徴とする項目７に記載のデジタルカメラ機能付き携帯用端末機。
（項目９）
前記カメラアセンブリは、撮影条件によって撮影モードを変更するモード選択スイッチを備えることを特徴とする項目７に記載のデジタルカメラ機能付き携帯用端末機。
（項目１０）
前記カメラアセンブリは、照明が相対的に明るいため、ディスプレイを通じて被写体を見ることができない場合、該被写体を目で直接見得る直接透視手段を備えることを特徴とする項目７に記載のデジタルカメラ機能付き携帯用端末機。
（項目１１）
前記直接透視手段は、前記カメラケーシングを貫通する通路及び該通路に装着される透明レンズを含むことを特徴とする項目１０に記載のデジタルカメラ機能付き携帯用端末機。
（項目１２）
前記カメラアセンブリは、撮影時、撮影に関連した音声を入力する補助マイクユニットを備えることを特徴とする項目７に記載のデジタルカメラ機能付き携帯用端末機。
（項目１３）
前記カメラケーシングの内部に所定形状を有する結合溝が形成され、該結合溝にカメラモジュールが挿入されて結合されることを特徴とする項目７に記載のデジタルカメラ機能付き携帯用端末機。
（項目１４）
前記旋回ユニットは、前記ディスプレイ本体に円筒状に形成された円筒軸と、該円筒軸の側方に形成された固定突起と、前記円筒軸の外径より大きい内径及び所定長さを有する円筒部、該円筒部の一側端に形成されるカム部、及び前記円筒部の他側端に形成されるスプリング挿入部を有し、前記円筒軸に回転可能に挿入される共に、前記カメラアセンブリに固定結合されるカムホルダーと、該カムホルダーのスプリング挿入部に挿入されるスプリング３４０と、前記カムホルダーの円筒部に挿入される円筒軸に固定結合され、前記スプリングを支持する固定部材と、から構成されるを特徴とする項目１に記載のデジタルカメラ機能付き携帯用端末機。
（項目１５）
前記カムホルダーのカム部は、前記円筒部の端に複数の凹部と凸部を有する波形形状に形成されることを特徴とする項目１４に記載のデジタルカメラ機能付き携帯用端末機。
（項目１６）
前記カメラアセンブリ及び前記ディスプレイ本体に、前記カメラアセンブリの回転時に回転状態を感知する感知手段が備えられることを特徴とする項目１に記載のデジタルカメラ機能付き携帯用端末機。
（項目１７）
前記感知手段は、前記カメラアセンブリに装着される磁石と、該磁石の位置と対面するディスプレイ本体の一面に装着され、前記磁石の磁場を感知する感知センサーと、該感知センサーによって感知された信号を伝達する信号線と、を含むことを特徴とする項目１６に記載のデジタル機能を有する携帯用端末機。
（項目１８）
前記磁石は、複数個が存在し、該複数の磁石は、前記カメラアセンブリ及びディスプレイ本体が相対運動する回転軸を同心軸にして、円形に所定間隔を置いて配置されることを特徴とする項目１７に記載のデジタルカメラ機能付き携帯用端末機。
（項目１９）
前記スピーカーユニットは、前記カメラアセンブリに設置されることを特徴とする項目１に記載のデジタルカメラ機能付き携帯用端末機。
（項目２０）
前記スピーカーユニットは、前記カメラモジュールの反対側に位置することを特徴とする項目１９に記載のデジタルカメラ機能付き携帯用端末機。
（項目２１）
前記マイクユニットは、前記ディスプレイ本体に装着されることを特徴とする項目１に記載のデジタルカメラ機能付き携帯用端末機。
（項目２２）
前記端末機本体は、所定の厚さを有する六面体状に形成されることを特徴とする項目１に記載のデジタルカメラ機能付き携帯用端末機。
（項目２３）
前記端末機本体の一面に情報を入力するキーパッドが備えられることを特徴とする項目１に記載のデジタルカメラ機能付き携帯用端末機。
（項目２４）
前記スライディングユニットは、前記端末機本体が装着されるディスプレイ本体の装着面に所定幅及び長さを有して形成される案内溝と、前記装着面に前記案内溝と平行に形成されるラックと、前記ディスプレイ本体の装着面に対面される端末機本体の一面に突出形成されて前記案内溝にスライディング可能に挿入される案内突起と、前記端末機本体側に装着されて前記ラックと噛み合うピニオンと、該ピニオンを回転させる駆動モータと、から構成されるを特徴とする項目２に記載のデジタルカメラ機能付き携帯用端末機。
（項目２５）
前記案内溝は、所定間隔を置いて形成され、前記案内突起は、前記２つの案内溝に挿入されるように２つが形成されることを特徴とする項目２４に記載のデジタルカメラ機能付き携帯用端末機。
（項目２６）
前記ディスプレイ本体の装着部を形成する装着面に所定の面積を有する貫通穴が形成され、前記ディスプレイ本体の装着面に対面する端末機本体の一面に前記貫通穴と相応する形状の貫通穴が形成されることを特徴とする項目２４に記載のデジタルカメラ機能付き携帯用端末機。
（項目２７）
前記端末機本体は、前記ディスプレイ本体の一側にヒンジ手段によってヒンジ結合されることを特徴とする項目１に記載のデジタルカメラ機能付き携帯用端末機。
（項目２８）
被写体をフォーカシングし、該被写体の像を撮影するカメラモジュールを備えるカメラアセンブリと、
情報が画像で表示されるだけでなく、撮影時に被写体の像が表示されるディスプレイを有し、前記カメラアセンブリと相対運動可能に結合されるディスプレイ本体と、
前記ディスプレイ本体に動き可能に結合される端末機本体と、
音声情報を送受信するスピーカーユニット及びマイクユニットと、
から構成されるを特徴とするデジタルカメラ機能付き携帯用端末機。
【００１６】
このような目的を達成するために、本発明によるデジタルカメラ機能付き携帯用端末機は、ディスプレイが備えられたディスプレイ本体と、被写体をフォーカシングし、前記ディスプレイに現れる該被写体の像を撮影するカメラモジュールが備えられるカメラアセンブリと、前記ディスプレイ本体とカメラアセンブリを相互回転可能に結合する旋回ユニットと、情報処理機能を有し、前記ディスプレイ本体に動き可能に装着される端末機本体と、音声情報を送受信するスピーカーユニット及びマイクユニットと、から構成されるを特徴とする。
【発明の効果】
【００１７】
本発明によるデジタルカメラ機能付き携帯用端末機は、電話通話機能だけでなく、静止画像または動画像を簡単で便利に撮影することにより、使用者の満足度を向上させるという効果がある。
【００１８】
また、静止画像または動画像の撮影時、その撮影状態における構造的強度が大きくなり、撮影時に外部の衝撃に対する破損を防止することが可能になるため、製品の信頼性が向上する。さらに、より自由に静止画像または動画像の撮影ができ、静止画像または動画像の撮影時にデジタルカメラを使用する感じを与えるため、使用者の満足度を高めることができるという効果がある。
【発明を実施するための最良の形態】
【００１９】
以下、図面に基づいて、本発明によるデジタルカメラ機能付き携帯用端末機を実施形態によって詳細に説明する。
【００２０】
図１ないし図３は、本発明によるデジタルカメラ機能付き携帯用端末機の一実施形態を示す斜視図である。
【００２１】
図示されたように、本発明によるデジタルカメラ機能付き携帯用端末機は、ディスプレイ１１０が備えられたディスプレイ本体１００と、被写体をフォーカシングしてディスプレイ１１０に現れる前記被写体の像を撮影するカメラモジュール２１０が備えられるカメラアセンブリ２００と、ディスプレイ本体１００とカメラアセンブリ２００を相互回転可能に結合させる旋回ユニット３００と、情報処理機能有し、ディスプレイ本体１００に動き可能に装着される端末機本体４００と、音声情報を送受信するスピーカーユニット５００及びマイクユニット６００と、から構成される。
【００２２】
端末機本体４００及びディスプレイ本体１００には、端末機本体４００をディスプレイ本体１００の長手方向に移動させるスライディングユニットが備えられる。
【００２３】
ディスプレイ本体１００は、一側に端末機本体４００がスライディング可能に装着される装着部１２１を備え、内部に回路部品が備えられた本体ケーシング１２０と、該本体ケーシング１２０に結合されたディスプレイ１１０と、本体ケーシング１２０の一側に位置してカメラモジュール２１０を制御する制御ボタン１３０と、から構成される。
【００２４】
本体ケーシング１２０は、所定幅及び長さを有する六面体状に形成され、該六面体の一面に装着部１２１が形成される。装着部１２１は、本体ケーシング１２０の一面に所定深さの段差面を有して形成される。装着部１２１の深さは、端末機本体４００の高さ（または、深さ）と相応し、装着部１２１の平面形状は、端末機本体４００の平面形状と相応するように形成される。
【００２５】
ディスプレイ１１０は、装着部１２１の反対側に位置するように本体ケーシング１２０に結合される。ディスプレイ１１０は、携帯用端末機として使用するときは、各種画像情報などが表示され、被写体を撮影するときは、被写体の像が表示される液晶画面を備える。
【００２６】
また、本体ケーシング１２０の一面には複数の制御ボタン１３０が備えられる。該制御ボタン１３０は、ディスプレイ１１０の側方に位置する。制御ボタン１３０は、被写体を撮影するとき、被写体のズーム（ｚｏｏｍ）、撮影解像度、シャッター速度など、カメラモジュール２１０を制御する機能を有する。一方、制御ボタン１３０は、撮影時にカメラモジュール２１０を制御する用途以外にも、通話の開始及び終了機能、電源のオン／オフ機能及びメニュー機能などに使用される。
【００２７】
カメラアセンブリ２００は、所定形状に形成されるカメラケーシング２２０と、該カメラケーシング２２０に装着されるカメラモジュール２１０と、カメラケーシング２２０に装着される撮影ボタン２３０と、撮影時に照明を明るくするフラッシュ２４０と、から構成される。
【００２８】
カメラケーシング２２０は、六面体状に形成され、該六面体の幅及び高さは、ディスプレイ本体１００の幅及び高さと同様に形成される。カメラアセンブリ２００の一面とディスプレイ本体１００の一面が相互接触するように旋回ユニット３００によって結合され、相互接触されるカメラアセンブリ２００の一面とディスプレイ本体１００の一面は、相互同一の形状に形成される。
【００２９】
カメラモジュール２１０は、カメラケーシング２２０の一面に装着され、カメラモジュール２１０が装着される面は、ディスプレイ本体１００と接触される面と垂直をなす面である。図４に示すように、前記カメラケーシング２２０の内部に、所定形状を有する結合溝２２１が形成され、該結合溝２２１に、カメラモジュール２１０が挿入されて結合される。結合溝２２１は、カメラモジュール２１０と相応する形状に形成され、その結合溝２２１の側部に位置するカメラケーシング２２０の面に、カメラモジュール２１０を構成するレンズ２１１が位置する貫通穴２２２が形成され、該貫通穴２２２に、カメラモジュールのレンズ２１１を保護する保護レンズ２１２が結合される。
【００３０】
カメラアセンブリ２００は、撮影条件によって撮影モードを変更させるモード選択スイッチ２５０を備え、該モード選択スイッチ２５０は、カメラケーシング２２０の一面に装着され、ディスプレイ本体１００と接触される面の反対側面に位置する。さらに、モード選択スイッチ２５０は、ロータリータイプのスイッチであり、使用者がモード選択スイッチ２５０を回転させることによって、通常撮影、晴れ日の撮影、曇り日の撮影、夜間撮影、野外撮影、室内撮影、接写撮影などに撮影モードを変更させることができる。それぞれの撮影モードは、天気、明暗などの特定条件によって最適のシャッター速度及び露出速度などが入力された状態であり、これによって高品質の撮影が可能になる。
【００３１】
モード選択スイッチ２５０の側部には、撮影ボタン２３０が位置する。
【００３２】
また、カメラアセンブリ２００は、照明が相対的に明るいため、ディスプレイ１１０を通じて被写体を見ることができない場合、その被写体を目で直接見得る直接透視手段２６０を備える。直接透視手段２６０は、カメラケーシング２２０を貫通する通路２２３及び該通路２２３に装着される透明レンズ２６１を含む。透明レンズ２６１は、通路２２３を形成するカメラケーシング２２０の両面にそれぞれ固定結合される。
【００３３】
フラッシュ２４０は、カメラケーシング２２０に装着され、カメラモジュール２１０の側部に位置する。
【００３４】
また、カメラアセンブリ２００は、撮影時に撮影と関連した音声を入力する補助マイクユニット２７０を備え、該補助マイクユニット２７０は、フラッシュ２４０の側部に位置する。
【００３５】
旋回ユニット３００は、図５に示すように、ディスプレイ本体１００に円筒状に形成された円筒軸３１０と、該円筒軸３１０の側方に形成された固定突起３２０と、円筒軸３１０の外径より大きい内径及び一定長さを有する円筒部３３１、該円筒部３３１の一側に形成されるカム部３３２、及び円筒部３３１の他側に形成されるスプリング挿入部３３３を有し、円筒軸３１０に回転可能に挿入されると共に、カメラアセンブリ２００に固定結合されるカムホルダー３３０と、カムホルダー３３０のスプリング挿入部３３３に挿入されるスプリング３４０と、カムホルダー３３０の円筒部３３１に挿入される円筒軸３１０に固定結合され、スプリング３４０を支持固定する固定部材３５０と、から構成される。
【００３６】
円筒軸３１０は、カメラアセンブリ２００と接触されるディスプレイ本体１００の本体ケーシング１２０の一面に形成され、円筒軸３１０は、前記一面に対して垂直方向に位置する。円筒軸３１０が形成された本体ケーシング１２０の面には円筒軸３１０の内径と相応する貫通穴（図示せず）が形成され、カメラアセンブリ２００の構成部品とディスプレイ本体１００の構成部品を連結するワイヤーがその貫通穴を通じて連結される。
【００３７】
固定突起３２０は、円筒軸３１０の側部に位置するように本体ケーシング１２０の一面に形成され、固定突起３２０の断面形状は、多様な形状に形成されることができる。
【００３８】
カムホルダー３３０のカム部３３２は、円筒部３３１の端に複数の凹部と凸部を有する波形形態に形成される。前記波形の数によってカムホルダー３３０が一回に回転する回転角が決定され、その波形数が多くなるにつれて、カムホルダー３３０が一回に回転する角が小さくなる。
【００３９】
固定部材３５０はナットで、円筒軸３１０の一端の外周面に前記ナットが結合されるねじ山が形成される。固定部材２５０の外径は、スプリング３４０の外径より大きいか、または、同一である。
【００４０】
カムホルダー３３０の円筒部３３１の外周面両側に、所定厚さ及び長さを有する結合部３３４がそれぞれ形成され、該結合部３３４には貫通穴３３５が貫通形成される。また、ディスプレイ本体１００の一面と接触されるカメラアセンブリ２００の一面、即ち、カメラアセンブリ２００のカメラケーシング２２０の一面に、結合部３３４の貫通穴３３５と相応するねじ孔２２４がそれぞれ形成される。さらに、ねじ孔２２４間にカムホルダー３３０のスプリング挿入部３３３及び円筒部３３１が挿入される挿入穴２２５が貫通形成される。
【００４１】
カメラケーシング２２０は、ディスプレイ本体１００と接触される面が別途の分離板によって分離できる。
【００４２】
符号２８１はねじで、符号２８２、２８３はねじ孔である。
【００４３】
旋回ユニット３００の結合は、以下のようである。
【００４４】
円筒軸３１０がカムホルダー３３０の円筒部３３１に挿入され、カムホルダー３３０のスプリング挿入部３３３にスプリング３４０が挿入され、固定部材３５０がスプリング３４０を圧縮した状態で円筒軸３１０の端に固定結合されることである。このような状態で、カムホルダー３３０のカム部３３２は、スプリング３４０の弾性力によってディスプレイ本体１００の一面に密着されると共に、固定突起３２０に噛み合うようになる。また、カムホルダー３３０のスプリング挿入部３３３及び円筒部３３１がカメラケーシング２２０の挿入穴２２５に挿入された状態で、カムホルダー３３０の結合部３３４がカメラケーシング２２０の一面に複数のボルト３３６によって固定結合される。
【００４５】
このように、カメラアセンブリ２００は、旋回ユニット３００によってディスプレイ本体１００と回転可能に結合され、カメラアセンブリ２００を回転させると、旋回ユニット３００を構成するカムホルダー３３０のカム部３３２と固定突起３２０がスプリング３４０によって相互密着した状態で、カムホルダー３３０が回転する。
【００４６】
また、カメラアセンブリ２００及びディスプレイ本体１００に、カメラアセンブリ２００の回転時にその回転状態を感知する感知手段が備えられる。前記感知手段は、カメラアセンブリ２００に装着される磁石３９１と、該磁石３９１の位置と対面するディスプレイ本体１００の一面に装着されて磁石３９１の磁場を感知する感知センサー３９２と、感知センサー３９２によって感知された信号を伝達する信号線３９３と、から構成される。
【００４７】
前記感知手段の他の変形例として、磁石３９１は複数であり、該複数の磁石３９１は、カメラアセンブリ２００及びディスプレイ本体１００が相対運動する回転  軸を同心軸として円形に所定間隔を置いて配置される。
【００４８】
前記感知手段は、カメラアセンブリ２００を回転させることによって、感知センサー３９２が磁石３９１の磁場を感知してカメラアセンブリ２００の回転数または回転角を認知するようになる。従って、カメラアセンブリ２００の回転は、多様な信号入力方式として使用されることができ、また、電源をオン／オフさせる動作信号として使用されることができる。
【００４９】
スピーカーユニット５００は、カメラアセンブリ２００側に、カメラモジュール２１０の反対側に位置するカメラケーシング２２０の一面に設置される。
【００５０】
マイクユニット６００は、ディスプレイ本体１００側に、制御ボタン１３０の側部に位置するように本体ケーシング１２０に設置される。通話時、カメラアセンブリ２００に設置されるスピーカーユニット５００とディスプレイ本体１００に設置されるマイクユニット６００が同一面に位置するようになる。
【００５１】
端末機本体４００は、所定の厚さを有する六面体状に形成される。
【００５２】
端末機本体４００の一面に情報を入力するキーパッド４１０が備えられ、その反対側面にバッテリー４２０が着脱可能に装着される。
【００５３】
前記スライディングユニットは、図６に示すように、端末機本体４００が装着されるディスプレイ本体１００の装着面に所定幅及び長さを有して形成される案内溝１２２と、その装着面に案内溝１２２と平行に形成されるラック１２３と、前記ディスプレイ本体１００の装着面に対面する端末機本体４００の一面に突出形成されて案内溝１２２にスライディング可能に挿入される案内突起４３０と、端末機本体４００側に装着されてラック１２３と噛み合うピニオン４４０と、ピニオン４４０を回転させる駆動モータ４５０と、から構成される。
【００５４】
案内溝１２２は、ディスプレイ本体１００の長手方向に形成され、所定間隔を置いて２つが形成される。また、案内突起４３０は、案内溝１２２に挿入時に圧入して挿入され、案内溝１２２に挿入された状態から抜け出さないようにスリット溝４３１が形成されたフック形態に形成される。案内突起４３０は、案内溝１２２の数と相応するように形成され、その案内溝１２２の数が２つである場合、案内突起４３０も２つが形成される。
【００５５】
ラック１２３は、端末機本体４００の長手方向に形成され、さらに、２つの案内溝１２２間に位置する。
【００５６】
ディスプレイ本体１００の装着部１２１の装着面に、所定の面積を有する貫通穴１２４が形成され、ディスプレイ本体１００の装着面に対面する端末機本体４００の一面に貫通穴１２４と相応する形状の貫通穴４６０が形成される。ディスプレイ本体１００の構成部品と端末機本体４００の構成部品を連結する信号線は、ディスプレイ本体１００の貫通穴１２４と端末機本体４００の貫通穴４６０を通じて連結される。
【００５７】
ピニオン４４０は、ディスプレイ本体１００の貫通穴４６０内に位置し、端末機本体４００とディスプレイ本体１００の結合時、ラック１２３と噛み合うように外部に突出されるように装着される。駆動モータ４５０は、端末機本体４００内部に位置するように装着される。
【００５８】
前記スライディングユニットは、駆動モータ４５０が正回転または逆回転すると、駆動モータ４５０と連結されたピニオン４４０が正回転または逆回転するようになる。ピニオン４４０が正回転または逆回転すると、ピニオン４４０と噛み合ったラック１２３が一方向またはその反対方向に直線運動するようになる。ラック１２３の動きによって端末機本体４００とディスプレイ本体１００が相互相対運動しながら、端末機本体４００がディスプレイ本体１００の装着部に入るか、装着部から抜け出るようになる。このとき、案内溝１２２及び案内突起４３０によって端末機本体４００は直線運動をするようになり、その動く距離が限定される。
【００５９】
一方、ディスプレイ本体１００と端末機本体４００が相互結合される結合構造の他の変形例として、端末機本体４００は、ディスプレイ本体１００の一側にヒンジ手段によってヒンジ結合されることができる。
【００６０】
符号４７０は、駆動モータ４５０を作動させる開閉スイッチである。
【００６１】
以下、本発明によるデジタルカメラ機能付き携帯用端末機の作用効果を説明する。
【００６２】
まず、相手から電話がかかってきた場合、使用者は、制御ボタン１３０のうち１つを押すことで、相手と連結して電話通話をすることができ、また、相手に電話をかける場合、端末機本体４００をスライディングユニットによってディスプレイ本体１００から取り出し、その端末機本体４００のキーパッド４１０及び制御ボタン１３０を利用して相手に電話をかけるようになる。このように、相手の電話を受ける場合または相手に電話をかける場合、スピーカーユニット５００、ディスプレイ１１０及びマイクユニット６００は、同一面上に位置し、さらに、このとき、ディスプレイ１１０は、一般的な携帯用端末機のように画像情報表示機能を遂行する。
【００６３】
端末機本体４００は、開閉スイッチ４７０を押すことにより、スライディングユニットによってディスプレイ本体１００の装着部１２１からスライディングされて抜け出るか、その装着部１２１にまた入るようになる。
【００６４】
一方、使用者が自分以外の被写体を撮影する場合、図７に示すように、カメラアセンブリ２００を回転させてカメラモジュール２１０の方向とディスプレイ１１０の方向を相互反対方向にする。カメラモジュール２１０は、旋回ユニット３００によって回転可能になる。このような状態で、使用者は、カメラモジュール２１０によってフォーカシングされる被写体の像をディスプレイ１１０を通じて見ながら所望の被写体の像を撮影するようになる。カメラモジュール２１０とディスプレイ１１０の位置は、相互反対である１８０°の位置以外の角度にして撮影することができる。
【００６５】
一方、明るい場所で被写体を撮影する場合、ディスプレイ１１０に表示される被写体の像を区別しづらくなり、このとき、直接透視手段２６０を通じて目で直接被写体を見ながら撮影するようになる。
【００６６】
さらに、使用者が直接自分を撮影する場合、図８に示すように、カメラアセンブリ２００を回転させてカメラモジュール２１０の方向とディスプレイ１１０の方向を相互同一方向にする。このような状態で、カメラモジュール２１０によってフォーカシングされる自分の像をディスプレイ１１０を通じて見ながら所望の自分の像を撮影する。
【００６７】
被写体または使用者自分を撮影する作業は、静止画像だけでなく、動画像を撮影することも可能で、さらに、端末機本体４００がディスプレイ本体１００の装着部１２１に位置した状態だけでなく、外部に露出された状態でも可能である。
【００６８】
このように本発明は、一般的な携帯用端末機のように相手と電話通話ができるだけでなく、カメラアセンブリ２００またはディスプレイ本体１００を回転させながら被写体または使用者自分を撮影するようになるので、撮影が簡単で便利になる。反面、従来技術の携帯用端末機は、被写体または使用者自分の撮影時、フォルダ２０を開けて撮影するため、撮影が非常に不便であった。
【００６９】
また、相対的に照明が明るい場所でディスプレイ１１０に被写体がよく現れない場合、使用者が直接目で被写体を見ながら撮影可能であるため、撮影の便利性が向上する。
【００７０】
本発明は、撮影時、ディスプレイ本体１００とカメラアセンブリ２００が直線形態に位置するので、構造的強度が大きく、さらに、撮影時の構造が一般的なデジタルカメラのような形態を有するため、使用者にとってデジタルカメラを使用する感じを与えるようになる。
【００７１】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００７２】
【図１】本発明によるデジタルカメラ機能付き携帯用端末機の一実施形態を示す斜視図である。
【図２】本発明によるデジタルカメラ機能付き携帯用端末機の一実施形態を示す斜視図である。
【図３】本発明によるデジタルカメラ機能付き携帯用端末機の一実施形態を示す斜視図である。
【図４】本発明によるデジタルカメラ機能付き携帯用端末機を構成するカメラアセンブリの分解斜視図である。
【図５】本発明によるデジタルカメラ機能付き携帯用端末機を構成する旋回ユニットの分解斜視図である。
【図６】本発明によるデジタルカメラ機能付き携帯用端末機を構成するスライディングユニットの分解斜視図である。
【図７】本発明によるデジタルカメラ機能付き携帯用端末機の使用状態を示す斜視図である。
【図８】本発明によるデジタルカメラ機能付き携帯用端末機の使用状態を示す斜視図である。
【図９】従来技術によるカメラを備えた携帯用端末機を示す斜視図である。
【図１０】従来技術によるカメラを備えた携帯用端末機の使用状態を示す斜視図である。
【符号の説明】
【００７３】
１００：ディスプレイ本体
１１０：ディスプレイ
１２０：本体ケーシング
１２１：装着部
１２２：案内溝
１２３：ラック
１２４、４６０：貫通穴
１３０：制御ボタン
２００：カメラアセンブリ
２１０：カメラモジュール
２２０：カメラケーシング
２２３：通路
２４０：フラッシュ
２５０：モード選択スイッチ
２６０：直接透視手段
２６１：透明レンズ
２７０：補助マイクユニット
３００：旋回ユニット
３１０：円筒軸
３２０：固定突起
３３０：カムホルダー
３４０：スプリング
３５０：固定部材
３９０：磁石
３９２：感知センサー
３９３：信号線
４００：端末機本体
４１０：キーパッド
４３０：案内突起
４４０：ピニオン
４５０：駆動モータ
５００：スピーカーユニット
６００：マイクユニット
【図１】
0004625323.tif 000002
【図２】
0004625323.tif 000003
【図３】
0004625323.tif 000004
【図４】
0004625323.tif 000005
【図５】
0004625323.tif 000006
【図６】
0004625323.tif 000007
【図７】
0004625323.tif 000008
【図８】
0004625323.tif 000009
【図９】
0004625323.tif 000010
【図１０】
0004625323.tif 000011